(57)【要約】【課題】簡素な構造でありながらも高い透水性を示し、地山の表面から地中に対して挿入することができる水抜き管埋設方法および水抜き管を提供する。【解決手段】水抜き管埋設方法は、水抜き管１は軸方向に所定の剛性を有するフレキシブル筒状織物からなり、地中に、水抜き管の径よりも大径の水抜き管挿入孔を形成する水抜き管挿入孔形成工程と、水抜き管挿入孔に水抜き管を挿入することによって水抜き管を埋設する埋設工程と、を備える。【選択図】図４
2010070919.tif 000002
【特許請求の範囲】
【請求項１】
地山における地中に水抜き管を埋設する水抜き管埋設方法であって、
前記水抜き管はフレキシブル筒状織物からなり、
前記水抜き管の径よりも大径の水抜き管挿入孔を地中に形成する水抜き管挿入孔形成工程と、
前記地山に形成された前記水抜き管挿入孔の開口側から、前記水抜き管を前記水抜き管挿入孔に押し込んで挿入することによって前記水抜き管を埋設する埋設工程と、
を含むことを特徴とする水抜き管埋設方法。
【請求項２】
前記水抜き管挿入孔形成工程は、前記水抜き管の外径よりも大きい内径を有する筒状のガイド管を前記水抜き管挿入孔に挿入しながら前記水抜き管挿入孔を形成する工程であり、
前記埋設工程は、
前記ガイド管が挿入された状態の水抜き管挿入孔に水抜き管を挿入する水抜き管挿入工程と、
前記水抜き管挿入孔から前記ガイド管を引き抜くガイド管引抜工程と、
を含む請求項１に記載の水抜き管埋設方法。
【請求項３】
前記水抜き管の先端に固定される主体部と、前記主体部に先端が固定される板バネと、を備えるストッパーが前記水抜き管に装着されており、
前記板バネは、後端側が、前記水抜き管の軸方向を中心とした前記軸方向の外側に向けて広がる方向に付勢されている請求項１または２に記載の水抜き管埋設方法。
【請求項４】
前記埋設工程で前記水抜き管を地中に埋設するにあたり、前記水抜き管の一部を地中から露出させておき、
前記水抜き管のうち地中から露出する部分の表面に防水加工を施す防水工程、
をさらに含む請求項１〜３の何れか１項に記載の水抜き管埋設方法。
【請求項５】
前記防水工程は、
前記水抜き管のうち地中から露出する部分の表面を熱硬化性チューブで覆う工程と、
前記熱硬化性チューブを熱し、前記水抜き管に密着させる工程と、
をさらに含む請求項４に記載の水抜き管埋設方法。
【請求項６】
前記水抜き管を前記水抜き管挿入孔に挿入した後、前記水抜き管挿入孔における口元部に対して、前記水抜き管挿入孔の内面と前記水抜き管の外面との間に閉塞処理を施す口元処理工程、
をさらに含む請求項４または５に記載の水抜き管埋設方法。
【請求項７】
前記水抜き管として、フレキシブル筒状織物からなる内側管と、フレキシブル筒状織物からなり、前記内側管を覆って配設され、前記内側管よりも目が粗い外側管と、を備える水抜き管を用いる請求項１〜６の何れか１項に記載の水抜き管埋設方法。
【請求項８】
請求項１〜７に記載の水抜き管埋設方法に用いられる水抜き管であり、
軸方向に所定の剛性を有し、
フレキシブル筒状織物で構成され、
地中に形成された水抜き管挿入孔に押し込むことによって埋設されることを特徴とする水抜き管。
【発明の詳細な説明】
【技術分野】
【０００１】
本発明は、水抜き管埋設方法および水抜き管に関する。
【背景技術】
【０００２】
従来、法面用の水抜き管として、塩化ビニルで形成された管（以下「塩ビ管」という）の表面に複数の小孔を空けた管（以下「塩ビ有孔管」という）が一般的に用いられている。この塩ビ有孔管では、集水機能を高めるために、表面に形成された小孔による開口率を大きくしたり、小孔の孔径を大きくしたりすることが考えられる。しかし、小孔による開口率を大きくすると、開口率の大きさに応じて塩ビ有孔管自体の強度が低下する問題がある。また、小孔の孔径を大きくすると、小孔を介する地山の土砂の流出が生じ、地山の崩壊を招くおそれがあるという問題がある。
【０００３】
これらの問題に対して、タテ糸とヨコ糸とを織り込んで形成した水抜き管を地中の掘削孔に埋設する方法がある（たとえば、特許文献１〜３参照）。このうち、特許文献１に開示された方法では、水抜き管の先端部が位置する場所に予め立孔を形成し、この立孔から法面に向けて放射状に延びるように貫通する掘削孔を形成する。この掘削孔から水抜き管を引き込んで掘削孔に水抜き管を埋設するようにしている。このような水抜き管を用いることにより、塩ビ有孔管を用いた場合と比較して、高い透水性を発揮することができるようになる。
【０００４】
また、特許文献２に開示された方法では、地山に形成したボーリング孔に水抜き管を挿入した後、水抜き管の中心に流動性固化材、たとえばモルタルを注入し、水抜き管の径方向の剛性を高めている。さらに、特許文献３に開示された方法では、水抜き管に形状保形部材を設け、水抜き管の径方向の剛性を高めている。こうして、地山に挿入した後の水抜き管の剛性を高めて、水抜き管の形状を維持するようにしている。
【特許文献１】特開２００５−１８００９４号公報
【特許文献２】特開２００５−１９４８０６号公報
【特許文献３】特開２００５−１７９８９６号公報
【発明の開示】
【発明が解決しようとする課題】
【０００５】
しかし、特許文献１に記載されている水抜き管では、この水抜き管を掘削孔内に引き込んで水抜き管を設置している。このため、水抜き管の先端部が位置する場所に予め立孔を形成する工程が必要となり、その分手間が掛かるという問題がある。
【０００６】
特許文献２および３に開示された方法では、水抜き管にモルタルを注入したり、形状保持部材を設けたりして水抜き管の径線方向の剛性を高めている。ところが、特許文献２および３に開示された方法では、水抜き管にモルタルを注入したり、形状保持部材を設けたりする必要があることから、施行の手間がかかるという問題があった。
【０００７】
そこで、本発明の課題は、簡素な構造でありながらも高い透水性を示し、地山の表面から地中に対して挿入することができる水抜き管埋設方法および水抜き管を提供することにある。
【課題を解決するための手段】
【０００８】
上記課題を解決した本発明に係る水抜き管埋設方法は、地山における地中に水抜き管を埋設する水抜き管埋設方法であって、水抜き管はフレキシブル筒状織物からなり、水抜き管の径よりも大径の水抜き管挿入孔を地中に形成する水抜き管挿入孔形成工程と、地山に形成された水抜き管挿入孔の開口側から、水抜き管を水抜き管挿入孔に押し込んで挿入することによって水抜き管を埋設する埋設工程と、を含むことを特徴とする。
【０００９】
本発明に係る水抜き管埋設方法では、水抜き管としてフレキシブル筒状織物を用いている。このフレキシブル筒状織物は、高い透水性を示しながらも、軸方向にある程度の剛性を備えているため、後方から地中に押し込むことができる。この点、本発明に係る水抜き管埋設方法では、水抜き管の径よりも大径の水抜き管挿入孔を形成している。この水抜き管挿入孔が形成されていることにより、ある程度の剛性のフレキシブル筒状織物であっても、地山の表面側から地中に押し込むことができる。また、地山に挿入した後は、フレキシブル筒状織物の剛性により、その形状を維持することができる。したがって、簡素な構造でありながらも高い透水性を示す水抜き管を、地山の表面から地中に対して挿入することができる。
【００１０】
また、水抜き管挿入孔形成工程は、水抜き管の外径よりも大きい内径を有する筒状のガイド管を水抜き管挿入孔に挿入しながら水抜き管挿入孔を形成する工程であり、埋設工程は、ガイド管が挿入された状態の水抜き管挿入孔に水抜き管を挿入する水抜き管挿入工程と、水抜き管挿入孔からガイド管を引き抜くガイド管引抜工程と、を含む態様とすることができる。
【００１１】
このように、水抜き管挿入孔にガイド管を挿入しておくことにより、水抜き管を挿入する際に水抜き管が直接に土壌に接触しないようにすることができる。このため、水抜き管を水抜き管挿入孔に挿入する時に、水抜き管が土壌に接触してその表面を傷めることを防止することができる。また、水抜き管の水抜き管挿入孔への挿入をより簡易なものとすることができる。
【００１２】
水抜き管の先端に固定される主体部と、主体部に先端が固定される板バネと、を備えるストッパーが水抜き管に装着されており、板バネは、後端側が、水抜き管の軸方向を中心とした軸方向の外側に向けて広がる方向に付勢されている態様とすることができる。
【００１３】
水抜き管を水抜き管挿入孔に挿入した後、水抜き管が地山の表面側から抜け落ちそうになることが考えられる。このとき、本発明では、水抜き管の先端にストッパーが設けられており、このストッパーにおける板バネは、後端側が、水抜き管の軸方向を中心とした軸方向の外側に向けて広がる方向に付勢されている。このため、水抜き管が抜けそうになると、ストッパーにおける板バネが地山に刺さることになる。このため、水抜き管が水抜き管挿入孔から抜け落ちることを防止することができる。
【００１４】
また、埋設工程で水抜き管を地中に埋設するにあたり、水抜き管の一部を地中から露出させておき、水抜き管のうち地中から露出する部分の表面に防水加工を施す防水工程、をさらに含むことが好適である。
【００１５】
地中からの排水を行うにあたり、地中に挿入した水抜き管から、所定の排水路まで排水を導水する導水処理が必要となることがある。このような導水処理を行うためには、水抜き管と排水路までの間に、塩ビ管などの別の管状体の導水管を設けることなどが考えられるが、このような導水管を設けると、その分手間が掛かることとなる。この点、本発明に係る水抜き管埋設方法では、水抜き管のうち地中から露出する部分の表面に防水加工を施すようにしている。このため、水抜き管のうち地中から露出する部分を導水管として用いることができる。したがって、別途導水管を設ける手間を省くことができる。
【００１６】
また、防水工程は、水抜き管のうち地中から露出する部分の表面を熱硬化性チューブで覆う工程と、熱硬化性チューブを熱し、水抜き管に密着させる工程と、をさらに含む態様とすることができる。
【００１７】
このような熱硬化性チューブを用いることにより、水抜き管のうち地中から露出する部分の防水加工を容易に行うことができる。
【００１８】
さらに、水抜き管埋設方法は、水抜き管を水抜き管挿入孔に挿入した後、水抜き管挿入孔における口元部に対して、水抜き管挿入孔の内面と水抜き管の外面との間に閉塞処理を施す口元処理工程、をさらに含む態様とすることができる。
【００１９】
このように、水抜き管挿入孔における口元部に対して、水抜き管挿入孔の内面と水抜き管の外面との間に閉塞処理を施すことにより、水抜き管挿入孔と水抜き管との間の空隙を水が流れ排水されることを防ぐことができる。そのため、排水を効率的に導水管へと導くことが可能となる。
【００２０】
また、上記水抜き管埋設方法において用いられる水抜き管は、内側管と、内側管を覆い内側管よりも目が粗い外側管と、を備えることが好適である。
【００２１】
水抜き管を１本のみ挿入し、長期間地山に埋設しておくと、水抜管挿入孔が縮減するなどして、やがて水抜き管１における地山中の水を水抜き管１内に導水する水抜き管１側面に存在する小孔である水抜き孔と水抜管挿入孔との間のクリアランスはなくなることになるが、この際、水抜き孔周辺の土砂は、水抜き管１で脱水され、細粒分が水抜き孔周辺に蓄積される結果、水抜き孔周辺に低透水ケーキ層が形成されてしまう。この低透水ケーキ層を除去しないと、地中の排水性が低下してしまうため、低透水ケーキ層を除去することが求められる。しかし、水抜き管を１本挿入するのみの場合、低透水ケーキ層を除去するために水抜き管を水抜き管挿入孔から引き抜くと、水抜き管挿入孔は縮径してしまうことから、改めて水抜き管を挿入することは困難となってしまう。この点、水抜き管として内側管と、内側管を覆い内側管よりも目が粗い外側管を用いると、内側管と外側間との間に低透水ケーキ層が形成される。このため、低透水ケーキ層を除去するためには、内側管を引き抜けばよく、また、外側管はその外径を維持することができるので、引き抜いた内側管を容易に外側管に挿入しなおすことができる。こうして、水抜き管の透水性を容易に回復させることができる。
【００２２】
他方、上記課題を解決した本発明に係る水抜き管は、上記の水抜き管埋設方法に用いられる水抜き管であり、軸方向に所定の剛性を有し、フレキシブル筒状織物で構成され、地中に形成された水抜き管挿入孔に押し込むことによって埋設される、ことを特徴とするものである。
【発明の効果】
【００２３】
本願に係る水抜き管埋設方法および水抜き管によれば、簡素な構造でありながらも高い透水性を示し、地山の表面から地中に対して挿入することができる。
【発明を実施するための最良の形態】
【００２４】
以下、図面を参照して、本発明の好適な実施形態について説明する。各実施形態において、同一の機能を有する部分については同一の符号を付し、重複する説明は省略することがある。
【００２５】
［第１実施形態］
本実施形態に係る水抜き管埋設方法では、図１および図２に示す水抜き管１を地山に埋設して地山の排水を促進する。ここでは、最初に水抜き管１の構成について説明する。図１（ａ）は巻いた状態の水抜き管を示す斜視図、（ｂ）は水抜き管の要部の模式的斜視図、図２（ａ）は水抜き管の一部分の平面図、（ｂ）は（ａ）のｂ−ｂ線断面図である。
【００２６】
図１に示す水抜き管１は、可とう性を有するフレキシブル筒状織物からなる。この水抜き管１は、図１（ｂ）に示す軸方向Ｘに沿ってある程度の剛性を有している一方で、人力で変形可能な程度に柔軟性を有している。そのために、図１（ａ）に示すように巻いた状態で運搬が可能である。また、軸方向Ｘに沿った剛性については、後にさらに詳しく説明する。
【００２７】
また、水抜き管１は、直径がたとえば７６ｍｍであり、図１（ｂ）に示すように、タテ糸２とヨコ糸３によって形成されている。タテ糸２はたとえばポリエステル繊維の紡績糸７０９０ｄｔｅｘからなり、ヨコ糸３はたとえば亜鉛めっき硬鋼線６０Ｃφ１．６ｍｍまたはポリエステル樹脂からなる剛直なモノフィラメント糸φ１．６ｍｍからなる。水抜き管１はこのタテ糸２に対して、ヨコ糸３がスパイラル（螺旋）状に形成されている。
【００２８】
また、図２（ｂ）に示すように、水抜き管１のヨコ糸３は、スパイラル状をなしている。２本のヨコ糸３に対して、ヨコ糸３が形成するスパイラルの軸方向に沿って、タテ糸２が配置されている。このとき、タテ糸２は、ヨコ糸３が形成するスパイラルの半径方向に振幅を有する波状をなしており、隣り合うタテ糸２とは、ヨコ糸３の１本分の位相差を持って配置されている。ただし、フレキシブルな筒状織物であれば、水抜き管１の糸の材質や糸径はこれに限られない。
【００２９】
また、水抜き管１の先端には、図３に示すストッパー３０が取り付けられている。図３に示すように、ストッパー３０は、主体部３３と板バネ３４とを備える。主体部３３は、円錐形状の先端部３１と、円筒形状の胴部３２とを備えている。胴部３２は、先端部３１の底面に連接しており、先端部３１の底面をなす円の直径と胴部３２の直径とは略同径とされている。
【００３０】
板バネ３４は、主体部３３に対して３枚取り付けられている。３枚の板バネ３４は、主体部３３の周方向に離間して配置されており、主体部３３の周方向を４等分したうちの３箇所にそれぞれ配置されている。また、板バネ３４は、いずれも主体部３３における胴部３２の軸方向の長さの略２倍の長さを有しており、その先端部が主体部３３に固定されている。また、板バネ３４の後端側は主体部３３の軸方向の外側に向けて広がる方向に付勢されている。
【００３１】
ストッパー３０の形状はこの形状に限られるわけではなく、板バネ３４の本数も３本に限定されるわけではない。また、板バネ３４がストッパー３０に固定される場所も上記場所に限定されるわけではない。要はストッパーとしての機能を備える形状であれば、考え得るどのような形状であってもよい。ここでのストッパーとしての機能とは、地山中を一方向へ移動する場合には抗力を生じないが当該方向と逆の方向へ移動する場合には抗力を生じる機能である。
【００３２】
次に、本実施形態に係る水抜き管埋設方法について説明する。図４は、本実施形態に係る水抜き管埋設方法における水抜き管の埋設手順を示す工程図である。
【００３３】
水抜き管を埋設する際には、まず、図４（ａ）に示すように、水抜き管１などの資材および水抜き管挿入孔を掘削する削孔機２０などの機材を地山における水抜き管の埋設位置に準備する。次に、図４（ｂ）に示すように、削孔機２０を用いて地山に水抜き管挿入孔となる掘削孔を形成する。削孔機２０はロッド２１を備えており、掘削孔を形成するに際して、ロッド２１を地山に打ち込んでいく。このとき、ロッド２１とともにガイド管２３を掘削孔に挿入する。ガイド管２３として、ここでは、径が水抜き管１の径より大なる円柱形状の鋼管が用いられている。
【００３４】
こうして、ロッド２１によって水抜き管挿入孔として必要な深さ位置まで地山を掘削したら、ロッド２１を掘削孔から引き抜く。このとき、掘削孔には、ガイド管２３が残存した状態となっている。続いて、図４（ｃ）に示すように、地山の表面側から水抜き管１を挿入する。本実施形態における水抜き管１は、所定の剛性を有しているため、掘削孔の入り口から水抜き管１の先端を挿入し、後ろから押し込むことで水抜き管を挿入することが可能である。この押し込みは、作業員の手によって行うことができ、特別な機器等を用いる必要はない。
【００３５】
こうして、水抜き管１を掘削孔に挿入したら、図４（ｄ）に示すように、ガイド管２３を削孔機２０によって引き抜く。ガイド管２３を引き抜く際には、ガイド管２３に引きずられて水抜き管１を引き抜く方向に力が掛かる。この点、本実施形態に係る水抜き管１の先端には、ストッパー３０が装着されている。このため、ガイド管２３を引き抜く際に水抜き管１が共抜けしてしまうことを防ぐことができる。
【００３６】
そして、最終的には、図４（ｅ）に示すようにストッパー３０、および水抜き管１のみが水抜き管挿入孔に残る状態となる。こうして、水抜き管１を地中に埋設することができる。本実施形態においてはガイド管２３を用いているが、地山の状態によって地山がある程度自立する場合は削孔後しばらく孔が自立することがある。その場合にはガイド管２３を用いることなく削孔（裸孔）し、後から水抜き管を挿入することも可能である。あるいは、ガイド管２３を使って削孔した場合でも、ガイド管２３を先に抜孔し、その後の孔が自立している間に水抜き管１を挿入することも可能である。
【００３７】
一般的に、水の流れによる法面の浸食を防ぐ必要があることから、水抜き管１を通じて集められた排水は管等を通じて排水溝などへ導水することが好適である。そこで、本実施形態に係る水抜き管１は、地山からの排水を図示しない排水路に案内するための導水処理を行う。この導水処理について、図５を参照して説明する。
【００３８】
導水処理を施すにあたって、地中に埋設した水抜き管１の後端部に塩ビ管などの導水管を接続することが考えられるが、本実施形態では、水抜き管１自体を導水管として用いる。図５に示すように、本実施形態に係る水抜き管１では、地山中に埋設された水抜き管１を埋設される長さで切断せずに導水処理のために必要な長さ分だけ地山から露出させる。
【００３９】
水抜き管１における地山から露出した部分の周囲を熱硬化性チューブで覆い、加熱処理を施す。この加熱処理によって熱硬化性チューブが収縮するとともに硬化することにより、水抜き管１に対する防水加工を行うことができる。このように水抜き管１における地山から露出した部分に防水加工を施すことにより、水抜き管１における防水加工を施した部分を導水管として利用することが可能となる。このため、導水処理のために別の塩ビ管などを接合する必要がなくなる。
【００４０】
このとき、水抜き管１における地山から露出した部分に単に防水加工を施すのみでは、水抜き管１における地山に埋設された部位と地山から露出した部位との隙間から漏水することが懸念される。このため、本実施形態においては、水抜き管挿入孔の口元部に閉塞手段４２を設ける口元処理を施している。
【００４１】
本実施形態においては、閉塞手段４２としては、水抜き管挿入孔の口元部における水抜き管と水抜き管挿入孔との間に介在させたパッカーを用いている。また、パッカーに代えてウェスを用いることもできる。また、熱硬化性チューブ４１は少なくとも閉塞手段４２が施された場所まで、または閉塞手段４２が施された場所を超えて地山側にはみ出す位置まで覆う。こうして、水抜き管１からの漏水を防止することができる。
【００４２】
次に、水抜き管１における軸方向の剛性について説明する。本実施形態に係る水抜き管１では、タテ糸２およびヨコ糸３の密度を高めることによって軸方向の剛性を高めることができる。ところがタテ糸２およびヨコ糸３の密度を上げるほど織物の目が細かくなるため、土砂および水を通しにくくなる。
【００４３】
水抜き管１では、軸方向の剛性を高めることが目的とされるが、軸方向の剛性を高めるためにタテ糸２とヨコ糸３との密度を高めると、透水性が低くなってしまうので、軸方向の強度と透水性とのバランスをとることが重要となる。また、水抜き管１では、タテ糸２およびヨコ糸３の径を小さくするほど透水性はあがり、タテ糸２およびヨコ糸３の径を大きくするほど透水性はさがる傾向がある。
【００４４】
織物の性質上タテ糸２およびヨコ糸３の密度は、一定以上になると二律背反の関係となる。そこで、本実施形態においては、タテ糸２の密度を一定とし、ヨコ糸３の密度および径をパラメータとし、水抜き管１の軸方向の剛性と、透水性とが最適となるように、ヨコ糸３の密度および径を算出する。
【００４５】
以下、タテ糸とヨコ糸との密度および径について、図６および図７を用いて具体的に説明する。
【００４６】
図６は、タテ糸２の密度および径を一定とした場合におけるヨコ糸３の密度および径、並びに水抜き管１の軸方向の剛性および透水性の関係について定性的に説明するための図である。図６に示すように、ヨコ糸３の径をたとえば１．６ミリメートルにした場合に、まず、予め一定としたタテ糸２の密度および径との関係で、ヨコ糸３の密度の最大値が定まる。図６においては斜線部分となるヨコ糸３の密度は構造的に取ることができないということになる。
【００４７】
取り得るヨコ糸３の密度の中で、密度を上げてゆく（図７においては４２本から４３本と上げてゆく）と水抜き管１の軸方向剛性は上昇するが、透水性は低下する。この関係から、水抜き管１の軸方向の剛性と、透水性が最適となるように、ヨコ糸３の密度を求めることができる。
【００４８】
さらに、水抜き管の空隙の大きさを求める手順について具体的に説明する。ここでは、まず、製織できる上限について説明する。いま、水抜き管１の単位長さを１０（ｃｍ）とし、単位長さあたりの製織仕様から水抜き管１の空隙を求める。水抜き管の単位長さの１０（ｃｍ）は、下記（１）式に示すようにして構成されている。
【００４９】
（タテ糸の厚み）×（単位長さあたりのタテ糸の交差点の数）＋（ヨコ糸太さ）×（ヨコ糸密度）＋空隙＝１０（ｃｍ）…（１）
【００５０】
いま、ヨコ糸3の径を１．６ｍｍと固定した場合、単位長さあたりのヨコ糸３の本数は、４５本となるのが最大である。ここで、ヨコ糸３の径を１．６（ｍｍ）とし、空隙を０（ｃｍ）とすると、単位長さあたりヨコ糸３が占める長さは、下記（２）式によって求められる。
【００５１】
４５（本）×０．１６（ｃｍ）＝７．２（ｃｍ）…（２）
【００５２】
一方、単位長さあたりのタテ糸２の占める長さは、下記（３）式によって求められる。
【００５３】
１０（ｃｍ）−７．２（ｃｍ）＝２．８（ｃｍ）…（３）
【００５４】
上記（３）式から、単位長さあたりのタテ糸２の占める長さは２．８（ｃｍ）となることから、タテ糸２の交錯点１個あたりの厚みは、下記（４）式のよって求められる。
【００５５】
２．８（ｃｍ）÷４５（個）≒約０．０６２（ｃｍ）…（４）
【００５６】
続いて、ヨコ糸３の径と本数を変化させた場合の空隙の大きさについて計算例を挙げる。
【００５７】
たとえばヨコ糸３の径が１．６ミリメートル、単位長さあたり４２本として空隙長さを求める。これらの数値を上記（１）式に代入すると、下記（５）式となる。
【００５８】
｛０．０６２（ｃｍ）×４２（本）＋０．１６（ｃｍ）×４２（本）｝／１０（ｃｍ）≒９．３２（ｃｍ）…（５）
【００５９】
上記（５）式から、単位長さあたり合計の空隙長は、下記（６）式によって示すことができる。
【００６０】
１０（ｃｍ）−９．３２（ｃｍ）＝０．６８（ｃｍ）…（６）
【００６１】
また、タテ糸２は４２本あることから、空隙１つあたりの長さは、下記（７）式によって求めることができる。
【００６２】
（０．６８（ｃｍ）／４２）／２＝０．００８（ｃｍ）…（７）
【００６３】
このようにして、ヨコ糸３の密度と、ヨコ糸３の径と、に基づいた空隙の大きさを求めることができる。
【００６４】
また、横糸の単位長さあたりの本数（ヨコ糸密度）とヨコ糸の径を変えて、それぞれの空隙１個あたりの長さを上記計算方法によって求めた。その結果を図７に示す。
【００６５】
図７に示すように、たとえば一定の透水性を確保するために空隙を０．１（ｍｍ）以上必要とした場合には、ヨコ糸３の径が１．６（ｍｍ）の場合にはヨコ糸３の単位長さあたりの本数は３９本とすればよいことが分かる。このようにして、水抜き管１の軸方向の剛性と、透水性が最適となるように、ヨコ糸３の密度を求めることができる。
【００６６】
このように、本実施形態に係る水抜き管埋設方法では、水抜き管１としてフレキシブル筒状織物を用いている。しかも、地山には、水抜き管の径よりも大径の水抜き管挿入孔を形成している。このため、軸方向にある程度の剛性を発揮しながら、地山の表面側から地中に押し込むことができる。また、地山に挿入した後は、フレキシブル筒状織物の剛性により、その形状を維持することができる。したがって、簡素な構造な水抜き管でありながらも、地山の表面から地中に対して挿入することができる。
【００６７】
また、本実施形態における水抜き管１は編み込み構造であるため、任意の場所で切断可能となっている。そのため、口元部で水抜き管１の余長が出てしまう、または少し足りなくなるといった問題を避けることができる。さらには、水抜き管の地中から露出した部分を導水管として用いる場合でも、その長さの調整を容易に行うことができる。
【００６８】
また、水抜き管１は、軸方向Ｘに沿ってある程度の剛性を有している一方で、人力で変形可能な程度に柔軟性を有している。このため、長尺の水抜き管１を搬送する場合でも、水抜き管１をコンパクトにまとめることができ、その分搬送性を高めることができる。しかも、水抜き管１となるフレキシブル筒状織物は網目が細かいため、細粒分や砂分が流出しにくく、全周面で集水する構造であるため、有孔管に比べて目詰まりしにくい。しかしながら、透水係数は１０−１〜１０−３ｃｍ／ｓｅｃ程度と大きく、集水能力を発揮することができる。
【００６９】
また、水抜き管挿入孔を形成する際に、ガイド管２３を挿入している。このため、水抜き管挿入孔に水抜き管１を挿入する際に水抜き管１が直接に土壌に接触することなく、挿入時に水抜き管の表面が傷むことを防止することができる。また、水抜き管の水抜き管挿入孔への挿入をより簡易なものとすることができる。
【００７０】
さらに、本実施形態に係る水抜き管埋設方法では、水抜き管１の一部を地中から露出させておき、水抜き管１における地中から露出する部分の表面を熱硬化性チューブで覆い、加熱処理することによって防水加工を施している。このため、地山からの排水を排水溝に導水する際の導水管を容易に製造することができる。他方、この防水加工の態様としては、熱硬化性チューブ以外のものを用いる態様とすることもできる。
【００７１】
次に、本実施形態に係る水抜き管１の排水性能について行った実験結果について説明する。実験は、図８に示すように、本実施形態に係る水抜き管１と、比較例に係る塩ビ有孔管を同一の地山に埋設し、その排水量について測定した。この実験の結果を図９に示す。
【００７２】
図９に示すように、比較例に係る塩ビ有孔管６１の排水量に対して、本実施形態に係る水抜き管１の排水量は、７〜８倍程度となった。この結果から分かるように、本実施形態に係る水抜き管１は、非常に高い排水性能を発揮することができる。
【００７３】
［第２実施形態］
次に、本発明の第２の実施形態について説明する。本実施形態に係る水抜き管埋設方法では、水抜き管１はフレキシブル筒状織物を一重にしていたが、本実施形態においては水抜き管１を２重としている点が主に異なっている。以下、本実施形態について、上記第１の実施形態との相違点を中心として説明する。
【００７４】
図１０は、本実施形態に係る水抜き管の要部模式的斜視図である。図１０に示すように、本実施形態に係る水抜き管１０、外側管１１と、外側管１１より小口径である内側管１２と、から構成されている。外側管１１および内側管１２は、いずれもフレキシブル筒状織物によって構成されている。また、内側管１２は、外側管１１よりも径が小さくされておりとともに、目が細かくされている。
【００７５】
本実施形態に係る水抜き管１０は、上記第１の実施形態に示す水抜き管１と同様の手順によって地山に埋設することができる。また、上記第１の実施形態と同様にストッパーを設けることもできるし、同様の手順による導水処理や口元処理を行う。
【００７６】
他方、本実施形態に係る水抜き管１０は、地山に埋設した後のメンテナンス性に優れている。以下、水抜き管１０のメンテナンスについて説明する。
【００７７】
水抜き管１０を長期間地山に埋設した状態としておくと、水抜き管１０の外周囲に低透水ケーキ層が形成され、排水性の低下を招く。ここで上記第１の実施形態のように、１重の水抜き管１の場合には、水抜き管挿入孔の孔壁と水抜き管１との間に低透水ケーキ層が形成されてしまう。ここで低透水ケーキ層を除去するために水抜き管１を水抜き管挿入孔から引き抜いてしまうと、水抜き管挿入孔の孔壁が崩れ、水抜き管１を再挿入することが困難となることが考えられる。または、水抜き管挿入孔の孔壁が崩れない場合でも、依然として孔壁に低透水ケーキ層がそのまま残る。
【００７８】
この点、本実施形態に係る水抜き管１０では、内側管１２は、外側管１１よりも目が細かくされていることから、低透水ケーキ層を形成するシルト分は外側管１１を通り抜ける。このため、低透水ケーキ層は、外側管１１と内側管１２との間に形成される。低透水ケーキ層が外側管と内側管との間に形成されることから、外側管１１から内側管１２を引き抜くだけで、低透水ケーキ層を除去することができる。
【００７９】
また、内側管１２を引き抜いたときでも、外側管１１の外径は維持されている。このため、内側管１２を引き抜いた後も、内側管１２を容易に外側管１１の内側に挿入することができる。さらに、内側管１２を引き抜いた後、外側管１１に対して洗浄水を送り込むことにより、外側管１１の内側を洗浄することもできる。このようにして、水抜き管１０全体の排水機能の回復をさせることができる。
【００８０】
以上、本発明の好適な実施形態について説明したが、本発明は上記実施形態に限定されるものではない。たとえば、上記実施形態では、水抜き管挿入孔を掘削する際にガイド管を設けているが、ガイド管を設けることなく、水抜き管挿入孔を掘削する態様とすることができる。また、水抜き管１の先端部にストッパー３０を装着しているが、ストッパーを装着しない態様とすることもできる。さらに、上記第２の実施形態では、水抜き管１０を二重管としているが、三重管、四重管などの複数の管とする態様とすることもできる。
【図面の簡単な説明】
【００８１】
【図１】（ａ）は巻いた状態の水抜き管を示す斜視図、（ｂ）は水抜き管の要部の模式的斜視図である。
【図２】（ａ）は水抜き管の一部分の平面図、（ｂ）は（ａ）のｂ−ｂ線断面図である。
【図３】本実施形態に係るストッパーの斜視図である。
【図４】本実施形態に係る水抜き管埋設方法における水抜き管の埋設手順を示す工程図である。
【図５】本実施形態に係る水抜き管の口元部の断面図である。
【図６】タテ糸の密度および径を一定とした場合におけるヨコ糸の密度、ヨコ糸の径、水抜き管の軸方向の剛性および透水性の関係を示す図である。
【図７】水抜き管におけるヨコ糸密度と空隙の大きさとの関係をまとめた表である。
【図８】水抜き管の屋外実験の状態を示す斜視図である。
【図９】図８に示す実験の結果を示すグラフである。
【図１０】第２の実施形態に係る水抜き管の要部斜視図である。
【符号の説明】
【００８２】
１，１０…水抜き管
２…タテ糸
３…ヨコ糸
１１…外側管
１２…内側管
２０…削孔機
２１…ロッド
２３…ガイド管
３０…ストッパー
３１…先端部
３２…胴部
３３…主体部
３４…板バネ
４１…熱硬化性チューブ
４２…閉塞手段
６１…塩ビ有孔管
【図１】
2010070919.tif 000003
【図２】
2010070919.tif 000004
【図３】
2010070919.tif 000005
【図４】
2010070919.tif 000006
【図５】
2010070919.tif 000007
【図６】
2010070919.tif 000008
【図７】
2010070919.tif 000009
【図８】
2010070919.tif 000010
【図９】
2010070919.tif 000011
【図１０】
2010070919.tif 000012